【手続補正書】
【提出日】平成18年2月9日(2006.2.9)
【手続補正１】
【補正対象書類名】明細書
【補正対象項目名】特許請求の範囲
【補正方法】変更
【補正の内容】
【特許請求の範囲】
【請求項１】  光学特性可変光学素子を備えた光学系を有する光学装置において、利用する像に対応する物体範囲の変更と共に前記光学特性可変光学素子の光線偏向作用を変化させて、前記光学系の収差を最適化するようにしたことを特徴とする光学装置。
【請求項２】  光学特性可変光学素子を備えた光学系を有する変倍可能な光学装置において、変倍に伴って前記光学特性可変光学素子の光線偏向作用を変化させることにより、変倍に伴って変化する光学系の収差を最適化するようにしたことを特徴とする光学装置。
【請求項３】  複数の光学ユニットを組合せて用いる光学装置において、いずれかのユニットが光学特性可変光学素子を備え、組合せの変更と共に前記光学特性可変光学素子の光線偏向作用を変化させることにより、変更に伴って変化する光学系の収差を最適化するようにしたことを特徴とする光学装置。
【請求項４】  複数の光学ユニットを含む光学装置において、いずれかのユニットが光学特性可変光学素子を備え、変倍と共に前記光学特性可変光学素子の光線偏向作用を変化させることによって、変倍に伴って変化する光学系の収差を最適化するようにしたことを特徴とする光学装置。
【請求項５】  電子ズーム機能を備えた光学装置において、電子ズーム時に、光学系のある部分を変更することによって、電子ズーム時に利用される像領域の像の鮮鋭度を向上させるようにしたことを特徴とする光学装置。
【請求項６】  光学特性可変光学素子と、光学特性可変光学素子を駆動する駆動回路と、電子ズーム機能を備えた光学装置において、電子ズームを行う時に、光学特性可変光学素子を含む光学系の電子ズームで拡大する領域の像の鮮鋭度が最良になるように、光学特性可変光学素子を駆動するようにしたことを特徴とする光学装置。
【請求項７】  光学特性可変光学素子と、光学特性可変光学素子を駆動する駆動回路と、電子ズーム機能を備えた光学装置において、電子ズームを行う時に、光学特性可変光学素子を含む光学系の電子ズームで拡大する領域の像の鮮鋭度が物体距離の変化、温度、湿度、製造誤差、経時変化、振れ、光学的変倍のいずれか１つ以上で生ずる結像状態の変化も考慮して最良になるように、光学特性可変光学素子を駆動するようにしたことを特徴とする光学装置。
【請求項８】  光学特性可変光学素子と、光学特性可変光学素子を駆動する駆動回路と、電子ズーム機能を備えた光学装置において、電子ズームを行う時に、光学特性可変光学素子を含む光学系の電子ズームで拡大する領域の像の鮮鋭度が光学装置の製造誤差も含めて最良になるように、光学特性可変光学素子を駆動するようにしたことを特徴とする光学装置。
【請求項９】  光学特性可変光学素子と、光学特性可変光学素子を駆動する駆動回路と、電子ズーム機能とオートフォーカス機能を備え、前記光学特性可変光学素子に加わる駆動情報を変えつつ撮像を行い、撮像した画像のピントあるいはコントラストがほぼ最良になる駆動情報を求め、その駆動情報で可変ミラーを駆動し、撮像を行うようにしたことを特徴とする光学装置。
【請求項１０】  光学特性可変光学素子と、光学特性可変光学素子を駆動する駆動回路と、電子ズーム機能と、像の振れ補正機能を備えたことを特徴とする光学装置。
【請求項１１】  光学特性可変光学素子と、光学特性可変光学素子を駆動する駆動回路と、少なくとも１つの光学素子群と、電子ズーム機能を備え、前記光学特性可変光学素子と、前記光学素子群とを電子ズーム時に連携して駆動することにより、電子ズーム時に利用される画像領域の鮮鋭度を向上させるようにしたことを特徴とする光学装置。
【請求項１２】  前記光学装置が電話機能を備えたことを特徴とする請求項５乃至１１のいずれかに記載の光学装置。
【請求項１３】  前記光学装置が画像表示機能を備えたことを特徴とする請求項５乃至１１のいずれかに記載の光学装置。
【請求項１４】  電子ズーム時に絞りを開くことを特徴とする、撮像素子を備えた電子撮像装置。
【手続補正２】
【補正対象書類名】明細書
【補正対象項目名】０００９
【補正方法】変更
【補正の内容】
【０００９】
また、本第２の発明による光学装置は、光学特性可変光学素子を備えた光学系を有する変倍可能な光学装置において、変倍に伴って前記光学特性可変光学素子の光線偏向作用を変化させることにより、変倍に伴って変化する光学系の収差を最適化するようにしたことを特徴としている。
【手続補正３】
【補正対象書類名】明細書
【補正対象項目名】００１０
【補正方法】変更
【補正の内容】
【００１０】
また、本第３の発明による光学装置は、複数の光学ユニットを組合せて用いる光学装置において、いずれかのユニットが光学特性可変光学素子を備え、組合せの変更と共に前記光学特性可変光学素子の光線偏向作用を変化させることにより、変更に伴って変化する光学系の収差を最適化するようにしたことを特徴としている。
また、本第４の発明による光学装置は、複数の光学ユニットを含む光学装置において、いずれかのユニットが光学特性可変光学素子を備え、変倍と共に前記光学特性可変光学素子の光線偏向作用を変化させることによって、変倍に伴って変化する光学系の収差を最適化するようにしたことを特徴としている。
また、本第５の発明による光学装置は、電子ズーム機能を備えた光学装置において、電子ズーム時に、光学系のある部分を変更することによって、電子ズーム時に利用される像領域の像の鮮鋭度を向上させるようにしたことを特徴としている。
また、本第６の発明による光学装置は、光学特性可変光学素子と、光学特性可変光学素子を駆動する駆動回路と、電子ズーム機能を備えた光学装置において、電子ズームを行う時に、光学特性可変光学素子を含む光学系の電子ズームで拡大する領域の像の鮮鋭度が最良になるように、光学特性可変光学素子を駆動するようにしたことを特徴としている。
また、本第７の発明による光学装置は、光学特性可変光学素子と、光学特性可変光学素子を駆動する駆動回路と、電子ズーム機能を備えた光学装置において、電子ズームを行う時に、光学特性可変光学素子を含む光学系の電子ズームで拡大する領域の像の鮮鋭度が物体距離の変化、温度、湿度、製造誤差、経時変化、振れ、光学的変倍のいずれか１つ以上で生ずる結像状態の変化も考慮して最良になるように、光学特性可変光学素子を駆動するようにしたことを特徴としている。
また、本第８の発明による光学装置は、光学特性可変光学素子と、光学特性可変光学素子を駆動する駆動回路と、電子ズーム機能を備えた光学装置において、電子ズームを行う時に、光学特性可変光学素子を含む光学系の電子ズームで拡大する領域の像の鮮鋭度が光学装置の製造誤差も含めて最良になるように、光学特性可変光学素子を駆動するようにしたことを特徴としている。
また、本第９の発明による光学装置は、光学特性可変光学素子と、光学特性可変光学素子を駆動する駆動回路と、電子ズーム機能とオートフォーカス機能を備え、前記光学特性可変光学素子に加わる駆動情報を変えつつ撮像を行い、撮像した画像のピントあるいはコントラストがほぼ最良になる駆動情報を求め、その駆動情報で可変ミラーを駆動し、撮像を行うようにしたことを特徴としている。
また、本第１０の発明による光学装置は、光学特性可変光学素子と、光学特性可変光学素子を駆動する駆動回路と、電子ズーム機能と、像の振れ補正機能を備えたことを特徴としている。
また、本第１１の発明による光学装置は、光学特性可変光学素子と、光学特性可変光学素子を駆動する駆動回路と、少なくとも１つの光学素子群と、電子ズーム機能を備え、前記光学特性可変光学素子と、前記光学素子群とを電子ズーム時に連携して駆動することにより、電子ズーム時に利用される画像領域の鮮鋭度を向上させるようにしたことを特徴としている。
また、本第１２の発明による光学装置は、電話機能を備えたことを特徴としている。
また、本第１３の発明による光学装置は、画像表示機能を備えたことを特徴としている。
更に、本第１４の発明による電子撮像装置は、撮像素子を備え、電子ズーム時に絞りを開くことを特徴としている。
【手続補正４】
【補正対象書類名】明細書
【補正対象項目名】００３２
【補正方法】変更
【補正の内容】
【００３２】
図６は本発明の第３実施形態の光学装置を示す概略構成図である。
第３実施形態の光学装置３２１は、撮像光学系が光学式ズーム光学系３２０で構成されており、第１実施例の光学装置３０２とは撮像光学系の構成のみが異なっている。
そして、第３実施形態の光学装置３２１は、光学式ズーム光学系３２０に第１実施形態において説明した電子ズームを組み合わせて構成されている。なお、図１に示した第１実施形態の光学装置と共通の部分、すなわち、信号処理回路３０８、駆動回路３０４以下の部分は図６では省略してある。
光学式ズーム光学系３２０は、物体側より順に配置された、凹レンズ３２２と、可変ミラー４０９と、レンズ群３２３と、位置固定のレンズ群３２４と、明るさ絞り５２１と、レンズ群３２５と、レンズ群３２６とで構成されている。
なお、レンズ群３２３は変倍群、及びレンズ群３２５はコンペンセータであり、それぞれ、ズーム時に光軸方向（図６の矢印方向）に沿って移動するようになっている。
可変ミラー４０９は、物体距離が変化したときのピント合わせ、及びズーム時にコンペンセータ３２５で補正しきれないピントの移動を補正するように構成されている。
なお、レンズ群３２６は、レンズ群３２３及びレンズ群３２５と共に光軸方向に移動制御可能にすると、後述するような有用性が得られる。これらのレンズ群３２３，３２５，３２６は、演算装置４１４により制御される駆動装置３２７を介して駆動される。
また、第３実施形態の光学装置３２１は、図１に示した第１実施形態の光学装置３０２と同様、電子ズームを行う場合には、撮像素子４０８のうちの画像として利用する領域の鮮鋭度が向上するように、薄膜４０９ａの形状を最適化して撮像が行われるようになっている。